(57)【要約】【課題】タスクの所要時間だけでなく、リソースの効率、仕事率などの能力、およびリソースの負荷を含むリソース状態を表示することができるリソース管理装置、リソース管理方法およびリソース管理プログラムを提供する。【解決手段】個々のリソースによるタスクの処理量、単位時間あたりの前記処理量で表される処理率、および、前記リソースの状態を保持する時間を示す情報を取得するリソース状態情報入力部１０１０およびリソース状態情報処理部１０３０と、ここで取得された情報により、リソースの処理状態および状態保持の経過を直角三角形、四方形および台形を含む多角形で表示するリソース状態表示部１０２０およびリソース状態情報処理部１０３０とを設ける。【選択図】　　　図１
2004013677.tif 000002
【特許請求の範囲】
【請求項１】
所定のタスクを処理するリソースの処理量と、前記リソースが前記タスクを単位時間あたりに処理する処理量を表す処理率と、を取得するリソース情報取得ステップと、
該リソース情報取得ステップで取得された前記処理量と前記処理率とを前記リソースの状態を表すリソース状態図形の一部として生成するリソース状態図形生成ステップと、
該リソース状態図形生成ステップで生成されたリソース状態図形を表示するリソース状態表示ステップと、
を備えたことを特徴とするリソース状態表示プログラム。
【請求項２】
請求項１に記載のリソース状態表示プログラムにおいて、
前記リソース状態図形生成ステップが、前記リソース状態図形を多角形として生成し、前記処理量を前記多角形の一辺の長さで表し、前記処理率を前記多角形の内角の一部として表すことを特徴とするリソース状態表示プログラム。
【請求項３】
請求項２に記載のリソース状態表示プログラムにおいて、前記リソース状態図形生成ステップが、前記リソース状態図形を三角形として生成し、前記処理量を前記三角形の一辺の長さで表し、前記処理率を前記三角形の一内角の角度で表すことを特徴とするリソース状態表示プログラム。
【請求項４】
請求項３に記載のリソース状態表示プログラムにおいて、
前記リソース状態図形生成ステップが、前記リソース状態図形を直角三角形として生成し、前記処理率を表す一内角が非直角の角であり、前記処理量を表す一辺が前記非直角の角に対向する辺であることを特徴とするリソース状態表示プログラム。
【請求項５】
請求項４に記載のリソース状態表示プログラムにおいて、
前記リソース情報取得ステップが、前記リソースによって所定の状態を保持する状態保持量と、前記リソースが前記保持状態を続ける保持時間と、を取得し、前記リソース状態図形生成ステップが、前記リソースが前記タスクを処理している処理状態を表すリソース処理状態図形として前記直角三角形を生成するとともに、前記リソースの保持状態を表すリソース保持状態図形として四方形を生成し、前記四方形の一辺の長さで前記状態保持量を表し、前記四方形の前記一辺に直角な一辺の長さで前記保持時間を表すことを特徴とするリソース状態表示プログラム。
【請求項６】
請求項５に記載のリソース状態表示プログラムにおいて、
前記リソース状態図形生成ステップが、前記リソース処理状態図形である前記直角三角形の前記処理量を表す辺と、前記リソース保持状態図形である前記四方形の前記保持量を表す辺と、を重ね、前記リソースの処理と保持の連続動作を表現する台形を生成することを特徴とするリソース状態表示プログラム。
【請求項７】
請求項１から請求項６のいずれか１項に記載のリソース状態表示プログラムにおいて、
前記リソース状態図形生成ステップが、前記生成したリソース状態図形をそれぞれ時間軸上に並べて生成することを特徴とするリソース状態表示プログラム。
【請求項８】
請求項１から請求項７のいずれか１項に記載のリソース状態表示プログラムにおいて、
前記リソース情報取得ステップが、複数のリソースがそれぞれのタスクを処理する処理量と、処理率と、をそれぞれ取得し、
前記リソース状態図形生成ステップが、前記リソースごとに前記リソース状態図形を生成することを特徴とするリソース状態表示プログラム。
【請求項９】
所定のタスクを処理するリソースの処理量と、前記リソースが前記タスクを単位時間あたりに処理する処理量を表す処理率と、を取得するリソース情報取得手段と、
該リソース情報取得手段で取得された前記処理量と前記処理率とを前記リソースの状態を表すリソース状態図形の一部として生成するリソース状態図形生成手段と、
該リソース状態図形生成手段で生成されたリソース状態図形を表示するリソース状態表示手段と、
を備えたことを特徴とするリソース状態表示装置。
【請求項１０】
請求項９に記載のリソース状態表示装置において、
前記リソース状態図形生成手段が、前記リソース状態図形を多角形として生成し、前記処理量を前記多角形の一辺の長さで表し、前記処理率を前記多角形の内角の一部として表すことを特徴とするリソース状態表示装置。
【請求項１１】
請求項１０に記載のリソース状態表示装置において、
前記リソース状態図形生成手段が、前記リソース状態図形を三角形として生成し、前記処理量を前記三角形の一辺の長さで表し、前記処理率を前記三角形の一内角の角度で表すことを特徴とするリソース状態表示装置。
【請求項１２】
請求項１１に記載のリソース状態表示装置において、前記リソース状態図形生成手段が、前記リソース状態図形を直角三角形として生成し、前記処理率を表す一内角が非直角の角であり、前記処理量を表す一辺が前記非直角の角に対向する辺であることを特徴とするリソース状態表示装置。
【請求項１３】
請求項１２に記載のリソース状態表示装置において、
前記リソース情報取得手段が、前記リソースによって所定の状態を保持する状態保持量と、前記リソースが前記保持状態を続ける保持時間と、を取得し、
前記リソース状態図形生成手段が、前記リソースが前記タスクを処理している処理状態を表すリソース処理状態図形として前記直角三角形を生成するとともに、前記リソースの保持状態を表すリソース保持状態図形として四方形を生成し、前記四方形の一辺の長さで前記状態保持量を表し、前記四方形の前記一辺に直角な一辺の長さで前記保持時間を表すことを特徴とするリソース状態表示装置。
【請求項１４】
請求項１３に記載のリソース状態表示装置において、
前記リソース状態図形生成手段が、前記リソース処理状態図形である前記直角三角形の前記処理量を表す辺と、前記リソース保持状態図形である前記四方形の前記保持量を表す辺と、を重ね、前記リソースの処理と保持の連続動作を表現する台形を生成することを特徴とするリソース状態表示装置。
【請求項１５】
請求項９から請求項１４のいずれか１項に記載のリソース状態表示装置において、
前記リソース状態図形生成手段が、前記生成したリソース状態図形をそれぞれ時間軸上に並べて生成することを特徴とするリソース状態表示装置。
【請求項１６】
請求項９から請求項１５のいずれか１項に記載のリソース状態表示装置において、
前記リソース情報取得手段が、複数のリソースがそれぞれのタスクを処理する処理量と、処理率と、をそれぞれ取得し、
前記リソース状態図形生成手段が、前記リソースごとに前記リソース状態図形を生成することを特徴とするリソース状態表示装置。
【請求項１７】
所定のタスクを処理するリソースの処理量と、前記リソースが前記タスクを単位時間あたりに処理する処理量を表す処理率と、を取得するリソース情報取得ステップと、
該リソース情報取得ステップで取得された前記処理量と前記処理率とを前記リソースの状態を表すリソース状態図形の一部として生成するリソース状態図形生成ステップと、
該リソース状態図形生成ステップで生成されたリソース状態図形を表示するリソース状態表示ステップと、
を備えたことを特徴とするリソース状態表示方法。
【請求項１８】
請求項１７に記載のリソース状態表示方法において、
前記リソース状態図形生成ステップが、前記リソース状態図形を多角形として生成し、前記処理量を前記多角形の一辺の長さで表し、前記処理率を前記多角形の内角の一部として表すことを特徴とするリソース状態表示方法。
【請求項１９】
請求項１８に記載のリソース状態表示方法において、
前記リソース状態図形生成ステップが、前記リソース状態図形を三角形として生成し、前記処理量を前記三角形の一辺の長さで表し、前記処理率を前記三角形の一内角の角度で表すことを特徴とするリソース状態表示方法。
【請求項２０】
請求項１９に記載のリソース状態表示方法において、
前記リソース状態図形生成ステップが、前記リソース状態図形を直角三角形として生成し、前記処理率を表す一内角が非直角の角であり、前記処理量を表す一辺が前記非直角の角に対向する辺であることを特徴とするリソース状態表示方法。
【請求項２１】
請求項２０に記載のリソース状態表示方法において、
前記リソース情報取得ステップが、前記リソースによって所定の状態を保持する状態保持量と、前記リソースが前記保持状態を続ける保持時間と、を取得し、前記リソース状態図形生成ステップが、前記リソースが前記タスクを処理している処理状態を表すリソース処理状態図形として前記直角三角形を生成するとともに、前記リソースの保持状態を表すリソース保持状態図形として四方形を生成し、前記四方形の一辺の長さで前記状態保持量を表し、前記四方形の前記一辺に直角な一辺の長さで前記保持時間を表すことを特徴とするリソース状態表示方法。
【請求項２２】
請求項２１に記載のリソース状態表示方法において、
前記リソース状態図形生成ステップが、前記リソース処理状態図形である前記直角三角形の前記処理量を表す辺と、前記リソース保持状態図形である前記四方形の前記保持量を表す辺と、を重ね、前記リソースの処理と保持の連続動作を表現する台形を生成することを特徴とするリソース状態表示方法。
【請求項２３】
請求項１７から請求項２２のいずれか１項に記載のリソース状態表示方法において、
前記リソース状態図形生成ステップが、前記生成したリソース状態図形をそれぞれ時間軸上に並べて生成することを特徴とするリソース状態表示方法。
【請求項２４】
請求項１７から請求項２３のいずれか１項に記載のリソース状態表示方法において、
前記リソース情報取得ステップが、複数のリソースがそれぞれのタスクを処理する処理量と、処理率と、をそれぞれ取得し、
前記リソース状態図形生成ステップが、前記リソースごとに前記リソース状態図形を生成することを特徴とするリソース状態表示方法。
【発明の詳細な説明】
【０００１】
【発明の属する技術分野】
本発明は、製造ラインの工程管理、画像処理システムの画像データ管理などのリソース管理に適用されるリソース管理装置、リソース管理方法、リソース管理プログラムに関するものである。
【０００２】
【従来の技術】
従来、この種のリソース管理装置は、ガントチャートを用い、それぞれのリソース（作業者や製造装置）が行うタスクの進行状況を、リソースごとに設定されたカード状や板状のタスクバー（各タスクの実行期間などを表す）で時間軸上に配置し、タスク管理を行うものであった。この種のリソース管理装置に関するものとしては、特開平６−１９５３４５号公報、特開平１０−１１８８９６号公報、特許第２９７３９３０号公報がある。
【０００３】
この種のリソース管理装置においては、作業行程などのタスクごとに開始時間、終了時間、所要期間を設定し、それらを図形化して時間軸上に並べて表示する。また、タスク同士の依存関係（前のタスクが終了したら、次のタスクへ進む）があれば、グラフィック表示によりタスクバーをつないで、依存関係を保つ。さらに、タスクバーの移動や長さを変更することにより、タスクの実行計画を修正して表示する。このようにして、リソース（作業者や製造装置）が行うタスクを管理することができる。なお、ガントチャートを用いたリソース管理装置には、ガントチャートと等価な情報をテキストファイルに書き出し、読み込むツールなども既に提供されている。
【０００４】
【発明が解決しようとする課題】
しかしながら、このような従来のリソース管理装置では、ガントチャートを用いてタスクの所要時間を表現していたために、タスクを処理するリソースの能力（効率）を表現できないという問題があった。具体的には、能力の高いリソース（高性能の製造装置、熟練の作業者）は、能力の低いリソースに比べ、同じタスクを速く処理することが可能であって、タスクの所要時間は短縮されることになる。ここで、前述した従来のリソース管理装置においては、リソースの能力とタスクの所要時間との因果関係、例えば「どれくらいの能力で処理するので、この所要時間が必要である」という情報を視覚的に表現できなかった。また、前述した従来のリソース管理装置では、リソースの負荷をグラフィック表示する機能がないために、リソース管理者がグラフィック表示を目視してリソースの能力に余裕があるか否か、リソースの能力の限界に近いか否か、などを判断することは困難であった。
【０００５】
そこで本発明は、このような問題を解決するためになされたもので、タスクの所要時間だけでなく、リソースの効率、仕事率などの能力、およびリソースの負荷を含むリソース状態を表示することができるリソース管理装置、リソース管理方法およびリソース管理プログラムを提供するものである。
【０００６】
【課題を解決するための手段】
請求項１記載の発明は、上記課題を解決するため、所定のタスクを処理するリソースの処理量と前記リソースが前記タスクを単位時間あたりに処理する処理量を表す処理率とを取得するリソース情報取得ステップと、該リソース情報取得ステップで取得された前記処理量と前記処理率とを前記リソースの状態を表すリソース状態図形の一部として生成するリソース状態図形生成ステップと、該リソース状態図形生成ステップで生成されたリソース状態図形を表示するリソース状態表示ステップと、を備えたことを特徴とするものである。
【０００７】
また、請求項２記載の発明は、上記課題を解決するため、請求項１に記載のリソース状態表示プログラムにおいて、前記リソース状態図形生成ステップが、前記リソース状態図形を多角形として生成し、前記処理量を前記多角形の一辺の長さで表し、前記処理率を前記多角形の内角の一部として表すことを特徴とするものである。
【０００８】
また、請求項３記載の発明は、上記課題を解決するため、請求項２に記載のリソース状態表示プログラムにおいて、前記リソース状態図形生成ステップが、前記リソース状態図形を三角形として生成し、前記処理量を前記三角形の一辺の長さで表し、前記処理率を前記三角形の一内角の角度で表すことを特徴とするものである。
【０００９】
また、請求項４記載の発明は、上記課題を解決するため、請求項３に記載のリソース状態表示プログラムにおいて、前記リソース状態図形生成ステップが、前記リソース状態図形を直角三角形として生成し、前記処理率を表す一内角が非直角の角であり、前記処理量を表す一辺が前記非直角の角に対向する辺であることを特徴とするものである。
【００１０】
さらに、請求項５記載の発明は、上記課題を解決するため、請求項４に記載のリソース状態表示プログラムにおいて、前記リソース情報取得ステップが、前記リソースによって所定の状態を保持する状態保持量と、前記リソースが前記保持状態を続ける保持時間と、を取得し、前記リソース状態図形生成ステップが、前記リソースが前記タスクを処理している処理状態を表すリソース処理状態図形として前記直角三角形を生成するとともに、前記リソースの保持状態を表すリソース保持状態図形として四方形を生成し、前記四方形の一辺の長さで前記状態保持量を表し、前記四方形の前記一辺に直角な一辺の長さで前記保持時間を表すことを特徴とするものである。
【００１１】
また、請求項６記載の発明は、上記課題を解決するため、請求項５に記載のリソース状態表示プログラムにおいて、前記リソース状態図形生成ステップが、前記リソース処理状態図形である前記直角三角形の前記処理量を表す辺と、前記リソース保持状態図形である前記四方形の前記保持量を表す辺と、を重ね、前記リソースの処理と保持の連続動作を表現する台形を生成することを特徴とするものである。
【００１２】
さらに、請求項７記載の発明は、上記課題を解決するため、請求項１から請求項６のいずれか１項に記載のリソース状態表示プログラムにおいて、前記リソース状態図形生成ステップが、前記生成したリソース状態図形をそれぞれ時間軸上に並べて生成することを特徴とするものである。
【００１３】
また、請求項８記載の発明は、上記課題を解決するため、請求項１から請求項７のいずれか１項に記載のリソース状態表示プログラムにおいて、前記リソース情報取得ステップが、複数のリソースがそれぞれのタスクを処理する処理量と処理率とをそれぞれ取得し、前記リソース状態図形生成ステップが、前記リソースごとに前記リソース状態図形を生成することを特徴とするものである。
【００１４】
さらに、請求項９記載の発明は、上記課題を解決するため、所定のタスクを処理するリソースの処理量と前記リソースが前記タスクを単位時間あたりに処理する処理量を表す処理率とを取得するリソース情報取得手段と、該リソース情報取得手段で取得された前記処理量と前記処理率とを前記リソースの状態を表すリソース状態図形の一部として生成するリソース状態図形生成手段と、該リソース状態図形生成手段で生成されたリソース状態図形を表示するリソース状態表示手段と、を備えたことを特徴とするものである。
【００１５】
また、請求項１０記載の発明は、上記課題を解決するため、請求項９に記載のリソース状態表示装置において、前記リソース状態図形生成手段が、前記リソース状態図形を多角形として生成し、前記処理量を前記多角形の一辺の長さで表し、前記処理率を前記多角形の内角の一部として表すことを特徴とするものである。
【００１６】
また、請求項１１記載の発明は、上記課題を解決するため、請求項１０に記載のリソース状態表示装置において、前記リソース状態図形生成手段が、前記リソース状態図形を三角形として生成し、前記処理量を前記三角形の一辺の長さで表し、前記処理率を前記三角形の一内角の角度で表すことを特徴とするものである。
【００１７】
また、請求項１２記載の発明は、上記課題を解決するため、請求項１１に記載のリソース状態表示装置において、前記リソース状態図形生成手段が、前記リソース状態図形を直角三角形として生成し、前記処理率を表す一内角が非直角の角であり、前記処理量を表す一辺が前記非直角の角に対向する辺であることを特徴とするものである。
【００１８】
さらに、請求項１３記載の発明は、上記課題を解決するため、請求項１２に記載のリソース状態表示装置において、前記リソース情報取得手段が、前記リソースによって所定の状態を保持する状態保持量と前記リソースが前記保持状態を続ける保持時間とを取得し、前記リソース状態図形生成手段が、前記リソースが前記タスクを処理している処理状態を表すリソース処理状態図形として前記直角三角形を生成するとともに、前記リソースの保持状態を表すリソース保持状態図形として四方形を生成し、前記四方形の一辺の長さで前記状態保持量を表し、前記四方形の前記一辺に直角な一辺の長さで前記保持時間を表すことを特徴とするものである。
【００１９】
また、請求項１４記載の発明は、上記課題を解決するため、請求項１３に記載のリソース状態表示装置において、前記リソース状態図形生成手段が、前記リソース処理状態図形である前記直角三角形の前記処理量を表す辺と、前記リソース保持状態図形である前記四方形の前記保持量を表す辺と、を重ね、前記リソースの処理と保持の連続動作を表現する台形を生成することを特徴とするものである。
【００２０】
さらに、請求項１５記載の発明は、上記課題を解決するため、請求項９から請求項１４のいずれか１項に記載のリソース状態表示装置において、前記リソース状態図形生成手段が、前記生成したリソース状態図形をそれぞれ時間軸上に並べて生成することを特徴とするものである。
【００２１】
また、請求項１６記載の発明は、上記課題を解決するため、請求項９から請求項１５のいずれか１項に記載のリソース状態表示装置において、前記リソース情報取得手段が、複数のリソースがそれぞれのタスクを処理する処理量と処理率とをそれぞれ取得し、前記リソース状態図形生成手段が、前記リソースごとに前記リソース状態図形を生成することを特徴とするものである。
【００２２】
さらに、請求項１７記載の発明は、上記課題を解決するため、所定のタスクを処理するリソースの処理量と前記リソースが前記タスクを単位時間あたりに処理する処理量を表す処理率とを取得するリソース情報取得ステップと、該リソース情報取得ステップで取得された前記処理量と前記処理率とを前記リソースの状態を表すリソース状態図形の一部として生成するリソース状態図形生成ステップと、該リソース状態図形生成ステップで生成されたリソース状態図形を表示するリソース状態表示ステップと、を備えたことを特徴とするものである。
【００２３】
また、請求項１８記載の発明は、上記課題を解決するため、請求項１７に記載のリソース状態表示方法において、前記リソース状態図形生成ステップが、前記リソース状態図形を多角形として生成し、前記処理量を前記多角形の一辺の長さで表し、前記処理率を前記多角形の内角の一部として表すことを特徴とするものである。
【００２４】
また、請求項１９記載の発明は、上記課題を解決するため、請求項１８に記載のリソース状態表示方法において、前記リソース状態図形生成ステップが、前記リソース状態図形を三角形として生成し、前記処理量を前記三角形の一辺の長さで表し、前記処理率を前記三角形の一内角の角度で表すことを特徴とするものである。
【００２５】
また、請求項２０記載の発明は、上記課題を解決するため、請求項１９に記載のリソース状態表示方法において、前記リソース状態図形生成ステップが、前記リソース状態図形を直角三角形として生成し、前記処理率を表す一内角が非直角の角であり、前記処理量を表す一辺が前記非直角の角に対向する辺であることを特徴とするものである。
【００２６】
さらに、請求項２１記載の発明は、上記課題を解決するため、請求項２０に記載のリソース状態表示方法において、前記リソース情報取得ステップが、前記リソースによって所定の状態を保持する状態保持量と前記リソースが前記保持状態を続ける保持時間とを取得し、前記リソース状態図形生成ステップが、前記リソースが前記タスクを処理している処理状態を表すリソース処理状態図形として前記直角三角形を生成するとともに、前記リソースの保持状態を表すリソース保持状態図形として四方形を生成し、前記四方形の一辺の長さで前記状態保持量を表し、前記四方形の前記一辺に直角な一辺の長さで前記保持時間を表すことを特徴とするものである。
【００２７】
また、請求項２２記載の発明は、上記課題を解決するため、請求項２１に記載のリソース状態表示方法において、前記リソース状態図形生成ステップが、前記リソース処理状態図形である前記直角三角形の前記処理量を表す辺と、前記リソース保持状態図形である前記四方形の前記保持量を表す辺と、を重ね、前記リソースの処理と保持の連続動作を表現する台形を生成することを特徴とするものである。
【００２８】
さらに、請求項２３記載の発明は、上記課題を解決するため、請求項１７から請求項２２のいずれか１項に記載のリソース状態表示方法において、前記リソース状態図形生成ステップが、前記生成したリソース状態図形をそれぞれ時間軸上に並べて生成することを特徴とするものである。
【００２９】
また、請求項２４記載の発明は、上記課題を解決するため、請求項１７から請求項２３のいずれか１項に記載のリソース状態表示方法において、前記リソース情報取得ステップが、複数のリソースがそれぞれのタスクを処理する処理量と処理率とをそれぞれ取得し、前記リソース状態図形生成ステップが、前記リソースごとに前記リソース状態図形を生成することを特徴とするものである。
【００３０】
【発明の実施の形態】
以下、本発明の実施の形態について添付図面を参照しつつ説明する。
［第１の実施の形態］
【００３１】
図１は、本発明の第１の実施の形態に係るリソース管理装置を示す。これは、所定のタスクを所定のリソースにより処理する場合に、タスクの所要時間だけでなく、リソースの能力や効率や処理率を含むリソース状態情報を図形化して表示するものである。以下では、複数のタスクを複数のリソースにより処理する場合について説明する。
【００３２】
図１に示すように、リソース管理装置は、リソース状態情報入力部１０１０、リソース状態表示部１０２０、リソース状態情報処理部１０３０、リソース状態情報記憶部１０４０を備えている。
【００３３】
リソース状態情報入力部１０１０は、個々のリソースによるタスクの処理量、単位時間あたりの前記処理量で表される処理率、前記リソースによって所定の状態に保持する時間、および、タスク間の相関関係などを求めるための情報を入力して設定するものである。また、リソース状態情報入力部１０１０は、既に設定された情報に対する更新要求を受け付け、更新情報を入力して設定するものである。
【００３４】
リソース状態情報処理部１０３０は、予め記憶されたリソース管理プログラムにより、リソース管理機能、すなわち本実施の形態のリソース管理方法を実行するものである。リソース状態情報処理部１０３０は、リソース状態情報入力部１０１０により入力された情報を用いて、個々のリソースによるタスクの処理量、単位時間あたりの前記処理量で表される処理率、および、前記リソースが状態を保持する時間、タスク間の相関関係を示す値を求め、さらに求めた値によりリソース状態を図形化して表示するための図形データを生成してリソース状態表示部１０２０へ渡すものである。
【００３５】
また、リソース状態情報処理部１０３０は、直角三角形、四方形および台形などによって表されたリソース状態情報（図形データ）を図形表現形式、または、リソース状態情報入力部１０１０により入力された情報のまま、リソース状態情報記憶部１０４０へ渡すものである。
【００３６】
リソース状態表示部１０２０は、リソース状態情報処理部１０３０より取得した図形データを表示するものである。すなわち、リソース状態表示部１０２０は、リソースごとに同期して並列に配置された時間軸上に時系列に配置された直角三角形と四方形および前記直角三角形と前記四方形によって形成される台形により、リソースの処理および状態保持の経過を表示するものである。
【００３７】
リソース状態情報記憶部１０４０は、リソース状態情報入力部１０１０により入力された前記処理量、前記処理率、前記リソースが状態を保持する時間などを求めるための情報を記憶するものである。また、リソース状態情報記憶部１０４０は、リソース状態情報処理部１０３０より取得した図形表現形式のリソース状態情報を記憶するものである。
【００３８】
次に、図２を用いて前記リソース管理プログラムを説明する。
【００３９】
まず、リソース管理プログラムは、リソース状態情報処理部１０３０に、リソース状態情報入力部１０１０により、複数のタスクを複数のリソースにより処理する場合に、個々のリソースによるタスクの処理量、単位時間あたりの前記処理量で表される処理率、および、前記リソースが状態を保持する時間を求めるための情報を入力して設定する（Ｓ１０１）。
【００４０】
次に、リソース状態情報処理部１０３０で前記入力した情報により、前記処理量、前記処理率、リソース状態保持時間などのリソース状態情報を求め、これを加工して図形表現データを作成する（Ｓ１０２）。
【００４１】
次に、リソース状態表示部１０２０で、前述の図形化されたリソース状態情報により、リソースごとに同期して並列に配置された時間軸上に時系列に配置された直角三角形と四方形および前記直角三角形と前記四方形によって形成される台形により、リソースの処理および状態保持の経過を表示する（Ｓ１０３）。
【００４２】
次に、リソース状態情報入力部１０１０により、先に入力および設定された情報に対する更新要求が入力されたか否かを判断し（Ｓ１０４）、更新要求が入力されれば、リソース状態情報の入力（Ｓ１０１）に戻り、更新要求が入力されなければ、処理を終了する。
【００４３】
このようにして、リソース状態表示部１０２０により、前記直角三角形によって前記タスクの処理量および前記処理率を表す。すなわち、前記直角三角形の高さによって前記処理量を表し、前記直角三角形の底辺と斜辺のなす角によって前記処理率を表し、前記直角三角形の底辺によって処理時間を表すことができる。さらに、前記直角三角形の底辺と垂直な辺と一辺が接し、この一辺が前記直角三角形と同一の高さの四方形によって、前記リソース状態が保持されていることを表すものである。
【００４４】
次に、本実施の形態におけるリソース状態を表す図形表現方法を具体的に説明する。
【００４５】
まず、三角形でリソースの処理状態を表す場合を示す。例えば、図３に示す直角三角形１１を用いて、リソースが「ある一つのタスクを処理する」という状態を表現する。
【００４６】
直角三角形１１の底辺を含む横軸１２は時間軸である。直角三角形１１の底辺と斜辺のなす内角の角度１３は、処理率を表す。処理率を表す角は、非直角な角で表される。角度１３は、単位時間あたりの処理量である。直角三角形１１の底辺と垂直な辺（処理率を表す角に対向する辺）の長さ１４は、処理量を表す。したがって、直角三角形１１の底辺の長さ１５は、処理時間を表すことになる。このようにして、直角三角形１１により、リソースが角度１３で表された処理率で処理量１４のタスクの処理を処理時間１５で行うことを表現する。
【００４７】
次いで、多角形でリソースの処理状態を表す場合を示す。例えば、図４に示す多角形２１を用いて、リソースが「ある一つのタスクを処理する」という状態を表現する。
【００４８】
多角形２１の底辺を含む横軸２２は時間軸である。多角形２１の底辺と斜辺のなす角度２３ａ、角度２３ｂ、角度２３ｃは、それぞれの時間帯での処理率を表す。角度２３ａ、角度２３ｂ、角度２３ｃは、単位時間あたりの処理量である。多角形２１の底辺と垂直な辺の長さ２４は、処理量を表す。したがって、多角形２１の底辺の長さ２５は、処理時間を表すことになる。このようにして、多角形２１により、リソースが角度２３ａ、角度２３ｂ、角度２３ｃで表された処理率で処理量２４のタスクの処理を処理時間２５で行うことを表現する。
【００４９】
次いで、長方形もしくは長方形に近い多角形でリソースの保持状態を表す場合を示す。例えば、図５に示す長方形３１を用いて、リソースが「ある状態を保持する」という状態を表現する。
【００５０】
長方形３１の一長辺を含む横軸３２は、時間軸である。長方形３１の一短辺の長さ３４は、リソースが特定の状態を保持している保持量を表す。横軸３２に含まれる長方形３１の一長辺（底辺）の長さ３５は、保持時間を表す。このようにして、長方形３１により、リソースが保持量３４の状態で、保持時間３５だけ保持されることを表現する。
【００５１】
次いで、台形もしくは台形に近い多角形でリソースの処理と保持の連続した状態を表す場合を示す。例えば、図６の台形４１を用い、リソースが「ある一つのタスクを処理し、その後その状態を保持する」という状態を表現する。
【００５２】
横軸４２は、時間軸である。台形４１に含まれる直角三角形の内角の角度４３は、処理率を表す。この処理率は、単位時間あたりの処理量である。台形４１の高さ４４は、処理量を表す。この処理量は、保持量でもある。したがって、前記直角三角形の底辺の長さ４５は、処理時間を表す。台形４１に含まれる長方形の底辺の長さ４６は、リソースが前記処理後の状態を保持している保持時間を表す。このようにして、台形４１により、リソースが処理率４３で処理量４４のタスクの処理を処理時間４５で行い、さらにリソースが前記タスク処理後の状態を保持時間４６だけ保持することを表現する。
【００５３】
次いで、上述した多角形を用い、複数のリソースが複数のタスクを処理し、各タスクがシステム全体の中で、どのようなりソースの順番で処理されていくか、ということを表す場合を示す。
【００５４】
図７において、横軸５４は時間軸であり、リソースＡ、リソースＢ、リソースＣの横軸も同期した時間軸である。リソースＡは、タスク５１１、タスク５１２、タスク５１３を周期５１５で処理する。リソースＢは、タスク５２１、タスク５２２、タスク５２３を周期５２５で処理する。リソースＣは、タスク５３１、タスク５３２、タスク５３３を周期５３５で処理し、リソースが処理後の状態を保持する。
【００５５】
ここでは、「リソースＡがタスク５１１を処理し、次いでリソースＢがタスク５２１を処理し、次いでリソースＣがタスク５３１を処理した後に状態を保持する」ということを、表現する。
【００５６】
このように、三つのリソースＡ、リソースＢ、リソースＣの処理状態を直角三角形および台形で表し、さらに三つのリソースＡ、リソースＢ、リソースＣを同期した時間軸５４上に配列し、表すので、複数のリソースが流れ作業を行い、複数のタスクを処理および保持することを表現できる。また、各リソースがどの位の効率（能力）で処理を実行しているかが表現できる。
【００５７】
さらに、リソース状態情報処理部１０３０の図形変換機能について具体的に説明する。
【００５８】
リソース状態情報処理部１０３０では、タスクの所要時間、リソースごとの能力や処理率、処理量、並びにタスク間の相関関係に関する情報を取得し、取得した情報から図形表現形式へ変換する図形変換機能を有する。この図形変換機能は、リソースごとに図３に示す直角三角形１１の内角１３に相当する処理率の値と、図３に示す直角三角形１１の高さ１４に相当する処理量の値と、図６に示す台形４１に含まれる長方形の底辺の長さ４６に相当する状態保持時間の値と、図６に示す台形４１の高さ４４に相当する状態保持量の値と、を読み込み、読み込んだ情報を用いて、リソースごとにタスクが処理される様子を図形表現形式に変換することにより実現される。
【００５９】
以上のように、本発明の第１の実施形態に係るリソース管理装置は、複数のタスクを複数のリソースにより処理する場合に、個々のリソースによるタスクの処理量、単位時間あたりの前記処理量で表される処理率、および、前記リソースの状態を保持する時間を示す情報を取得するリソース状態情報入力部１０１０およびリソース状態情報処理部１０３０と、このリソース状態情報入力部１０１０およびリソース状態情報処理部１０３０で取得された情報により、前記リソースごとに同期して並列に配置された時間軸上に時系列に配置された直角三角形と四方形および前記直角三角形と前記四方形によって形成される台形により、リソースの処理および状態保持の経過を表示するリソース状態表示部１０２０およびリソース状態情報処理部１０３０と、を設け、リソース状態表示部１０２０およびリソース状態情報処理部１０３０には、前記直角三角形によって前記タスクの処理量および前記処理率を表し、前記直角三角形の高さによって前記処理量を表し、前記直角三角形の底辺と斜辺のなす角によって前記処理率を表し、前記直角三角形の底辺によって処理時間を表し、さらに、前記直角三角形の底辺と垂直な辺と一辺が接し、前記直角三角形と同一の高さの四方形によって、前記リソースが状態を保持していることを表す手段を設けているので、タスクの所要時間だけでなく、リソースの効率、仕事率などの能力およびリソースの負荷を含むリソース状態を表示することができる。
［第２の実施の形態］
【００６０】
次に、本発明のリソース管理方法を、デジタルカメラにおけるデータ処理負荷の見積りに適用した実施の形態を説明する。
【００６１】
図８は、デジタルカメラにおけるリソース構成と、写真撮影に伴う、露光処理から圧縮画像記録までの、各リソース間のデータの流れを模式的に示したものである。図８に示すように、デジタルカメラは、入出力部２１００、メモリ２２００、画像処理部２３００を備えている。
【００６２】
入出力部２１００は、カメラ２００１、記録メディア２００７を有し、自然画像をデジタルデータとして入力したり、画像データを記録媒体に記録する機能を有している。メモリ２２００は、便宜的に、ＣＣＤデータ領域２００２、画像データ領域２００４、圧縮画像データ領域２００６を有し、処理中のデータを一時的に記憶する機能を有している。画像処理部２３００は、画素補間処理回路２００３、画像圧縮器２００５を有し、画像データを演算処理によって変換する機能を有している。また、図８における、太線矢印はデータの流れを示している。なお、本実施の形態のデジタルカメラでは、データはすべて同一のデータバスを共通利用して転送されるものとする。
【００６３】
まず、露光から圧縮画像データ記録までの処理の順番にしたがって、データの流れに関する動作を説明する。図８において、カメラ２００１のＣＣＤなどの撮像素子によって取り込まれた、画素補間処理などの処理がかかっていない状態のＣＣＤデータを出力する。カメラ２００１より出力されたＣＣＤデータは、メモリ２２００におけるＣＣＤデータ領域２００２に転送され、記憶される。メモリ２２００に記憶されたＣＣＤデータは、次に画像処理部２３００における、画素補間処理回路２００３に転送される。
【００６４】
画素補間処理回路２００３は、ＣＣＤデータに対して、ＣＣＤのカラーフィルタ配置によって間引きされた画素の色情報を補間演算処理によって生成して、フルサイズのカラー画像データへと変換する。ここで出力される画像データの大きさは、ＣＣＤデータに対して大きなサイズとなる。画素補間処理回路２００３から出力される画像データは、メモリ２２００における画像データ領域２００４に転送され、記憶される。メモリ２２００に記憶された画像データは、次に画像処理部２３００における、画像圧縮器２００５に転送される。
【００６５】
画像圧縮器２００５では、ＪＰＥＧなどの画像圧縮アルゴリズムにしたがった演算処理によって、画像データを圧縮し、データ量の少ない圧縮画像データに変換する。画像圧縮器２００５によって圧縮された圧縮画像データは、メモリ２２００における圧縮画像データ領域２００６に対して転送され、記憶される。メモリ２２００に記憶された圧縮画像データは、最後に入出力部２１００における、記録メディア２００７に対して転送される。記録メディア２００７は一般にフラッシュメモリカードなどであり、圧縮画像データを再利用するために記録する。
【００６６】
次に、本発明のリソース管理方法にしたがって上記デジタルカメラのデータの流れを表現するために、データの転送率と、転送量に対応した図形を定義する。本実施の形態では、図９のＡからＤに示す４通りの三角形が必要となる。
【００６７】
ＡはＣＣＤデータの転送に相当しており、カメラ２００１からメモリ２２００（ＣＣＤデータ領域２００２）へのデータ転送、ならびにメモリ２２００（ＣＣＤデータ領域２００２）から画素補間処理回路２００３へのデータ転送を表している。また、Ｂは画像データの転送に対応しており、画素補間処理回路２００３からメモリ２２００（画像データ領域２００４）へのデータ転送、ならびにメモリ２２００（画像データ領域２００４）から画像圧縮器２００５へのデータ転送に対応している。
【００６８】
ＣおよびＤは圧縮画像データの転送に相当している。Ｃは画像圧縮器２００５からメモリ２２００（圧縮画像データ領域２００６）へのデータ転送に対応し、Ｄはメモリ２２００（圧縮画像データ領域２００６）から記録メディア２００７へのデータ転送に対応している。
【００６９】
本発明のリソース管理方法では、データの転送量は三角形の高さで表される。本実施の形態で必要となるデータ転送量は、ＣＣＤデータ、画像データ、圧縮画像データの３通りとなる。それぞれの関係が、
【００７０】
画像データ：ＣＣＤデータ：圧縮画像データ＝４：２：１
であるとすると、それぞれに対応した三角形の高さもこれと同じ比率とする。すなわち、
【００７１】
Ｂの高さ：Ａの高さ：Ｃの高さ：Ｄの高さ＝４：２：１：１
とする。
【００７２】
また、本発明のリソース管理方法では、データの転送率は三角形の斜辺の傾きで表される。本実施の形態で必要となるデータ転送率は、メモリ２２００に対する高速転送、メモリ２２００に対する中速転送、記録メディア２００７に対する低速転送の３通りであるとする。図９における、Ａ、Ｂはメモリ２２００に対する高速転送に対応しており、Ｃはメモリ２２００に対する中速転送に対応している。また、Ｄは記録メディア２００７に対する低速転送に対応している。それぞれの転送速度の関係が、
【００７３】
高速：中速：低速＝４：２：１
であるとすると、それぞれに対応した三角形の斜辺の傾きも、これと同じ比率とする。すなわち、
【００７４】
Ａの傾き：Ｂの傾き：Ｃの傾き：Ｄの傾き＝４：４：２：１
とする。
【００７５】
上記の手順にしたがって、それぞれの三角形の高さと斜辺の傾きを定義することによって、底辺の長さも一意に定まる。すなわち、底辺の長さはデータの転送量ならびに転送率によって定まっており、データ転送に最低限必要となる時間が表現されていることになる。
【００７６】
また、本発明のリソース管理方法では、データの保持は長方形によって表現される。本実施の形態で表現する状態は、データ量と保持時間であり、それぞれを長方形の高さと底辺の長さで表すものとする。ここで、必要となるデータの種類は、ＣＣＤデータ、画像データ、圧縮画像データの３種類であるので、それぞれのデータ保持を表現する長方形は図１０のＥ、Ｆ、Ｇに示すような高さとなる。ここで、長方形の底辺の長さは、保持時間を示している。なお、上述した三角形と同様に、図形の高さによってデータ量が表されるので、図１０におけるＥの長方形の高さは、図９におけるＡの三角形の高さと等しく、図１０におけるＦの長方形の高さは、図９におけるＢの三角形の高さに等しい。また、図１０におけるＧの長方形の高さは、図９における三角形Ｃ、Ｄと等しくなるように、定義される。本実施の形態では、状態を保持可能なリソースはメモリ２２００であり、三角形と長方形は、メモリ２２００に関するリソースに対してのみ、高さが同じものどうしを組み合わせて使用する。
【００７７】
以上の通り定義された図形を用いてデジタルカメラのデータ処理負荷状態を表現する、リソース管理方法を、図１１にしたがって説明する。図１１において、横軸方向は時間を示している。また、それぞれの行は、デジタルカメラにおける個々のリソースに相当している。本実施の形態では、データ転送に際して、（カメラ２００１による）カメラ露光処理、ＣＣＤデータ転送処理、画像データ転送処理、圧縮画像データ転送処理、（画素補間処理回路２００３による）画素補間処理、（画像圧縮器２００５による）画像圧縮処理、（記録メディア２００７への）記録処理の７つのリソースを用いているので、対応する７項目を表示する。
【００７８】
また、本実施の形態における、デジタルカメラのデータ処理における、主な制約事項をまとめると、以下の通りとなる。
・カメラ露光処理と、メモリ２２００へのＣＣＤデータ転送は同時に始まる。
・画素補間処理は、メモリ２２００へのＣＣＤデータの転送開始から、一定の遅れ時間後に始まる。
・画素補間処理と、メモリ２２００への画像データ転送は同時に始まる。
・画像圧縮処理は、メモリ２２００への画像データ転送開始から、一定の遅れ時間後に始まる。
・メモリ２２００の画像データは、画像圧縮処理が終了するまで保持される。
・記録メディアへの記録処理は、画像圧縮処理と同時に始まる。
・メモリ２２００の圧縮画像データは、記録メディアの書き込み処理が終了するまで保持される。
【００７９】
リソース項目ごとに、上記のデータ処理手順の制約事項に従って、全体の処理時間がもっとも短くなるように図形を配置していく手順は、以下の通りとなる。
【００８０】
初めに撮影者がレリーズ操作を行って、カメラ２００１における露光処理が開始される、カメラ露光処理リソース行の左端が図形配置の起点となる。カメラ露光処理リソース行では、ＣＣＤデータが取り込まれるので、図９におけるＡの三角形が左寄せで配置される（図１１の三角形４１００）。ＣＣＤデータは、露光処理中にメモリ２２００のＣＣＤデータ領域２００２に転送されるので、ＣＣＤデータリソース行でも、同時間に図９におけるＡの三角形が配置される（図１１の三角形４２００）。
【００８１】
メモリ２２００に記憶されたＣＣＤデータは、短時間の遅れ時間が経過した後で、画素補間処理回路２００３に転送され始めるので、画素補間処理リソース行には、遅れ分の時間が経った時点で、図９におけるＢの三角形が配置される（図１１の三角形４３００）。ここで、上記画素補間処理が完了するまで、ＣＣＤデータリソース行では、ＣＣＤデータが保持されている必要があるため、三角形４２００に時間軸上で連続して、図１０におけるＥの長方形を配置する（図１１の長方形４２２０）。なお、長方形４２２０における時間方向の長さは、画素補間処理リソース行に配置された三角形４３００の右端と一致するように調整される。画素補間処理回路２００３から出力される画像データは、画素補間処理中にメモリ２２００の画像データ領域２００４に転送されるので、画像データリソース行でも、同時間に図９におけるＢの三角形が配置される（図１１の三角形４４００）。
【００８２】
メモリ２２００に記憶された画像データは、短時間の遅れ時間が経過した後で、画像圧縮器２００５に転送され始めるので、画像圧縮処理リソース行には、遅れ分の時間が経った時点で、図９におけるＢの三角形が配置される（図１１の三角形４５００）。ここで、上記画像圧縮処理が完了するまで、画像データリソース行では、画像データが保持されている必要があるため、三角形４４００に時間軸上で連続して、図１０におけるＦの長方形を配置する（図１１の長方形４４２０）。なお、長方形４４２０における時間方向の長さは、画像圧縮処理リソース行に配置された三角形４５００の右端と一致するように調整される。
【００８３】
画像圧縮器２００５から出力される圧縮画像データは、画像処理中にメモリ２２００の圧縮画像データ領域２００６に転送されるので、圧縮画像データリソース行では、同時間に図９におけるＣの三角形が配置される（図１１の三角形４６００）。また、メモリ２２００に記憶された圧縮画像データは、画像圧縮処理中に記録メディア２００７に転送されるので、記録メディアリソース行では、同時間に図９におけるＤの三角形が配置される（図１１の三角形４７００）。ここで、三角形４７００の記録メディア２００７における記録処理が完了するまで、圧縮画像データリソース行では、圧縮画像データが保持されている必要があるため、三角形４６００に時間軸上で連続して、図１０におけるＧの長方形を配置する（図１１の長方形４６２０）。なお、長方形４６２０における時間方向の長さは、記録メディアリソース行に配置された三角形４７００の右端と一致するように調整される。
【００８４】
このようにして、デジタルカメラの撮影に伴うデータ処理の状態は、図１１の三角形４１００、三角形４２００、長方形４２２０、三角形４３００、三角形４４００、長方形４４２０、三角形４５００、三角形４６００、長方形４６２０、三角形４７００に示した図形の並びによって表現される。
【００８５】
連続してレリーズ動作を行う連続撮影動作は、同様の図形の並びを、同一リソース行内で図形が重複しないように、時間軸上に並べて配置することで、表現できる。図１１の例は、レリーズを３回連続で操作した場合の動作であり、図形のハッチング濃度が濃い順に、１回目のレリーズ操作に対する動作から３回目のレリーズ操作に対応して、示されている。
【００８６】
本実施の形態では、リソース管理方法をデジタルカメラにおけるデータ処理の負荷見積りに適用した場合、レリーズが押されてから記録メディア２００７に対する書き込み処理が完了するまでの時間など、カメラ２００１の撮影速度性能を見積もることができ、図１１の例では、初回のレリーズ操作から記録メディア２００７への書き込みが終了するまでの時間は、Ｓ１０の区間が相当している。また、カメラ２００１の性能として重視される連写速度についても見積もることもできる。図１１の例では、レリーズを３回連続で操作した場合の動作を表したが、レリーズ１とレリーズ２のタイムラグとして、Ｓ１０の時間が必要であり、レリーズ２とレリーズ３のタイムラグとして、Ｓ２０の時間が必要となることなどを見積もることができる。
【００８７】
また、個々のリソースの性能を変更することが、三角形の斜辺の傾きを修正することによって、簡単に実施できるため、各リソースを性能の異なる部品に変更したり、メモリ２２００のリソースを追加、または削減した場合などに、記録速度や連写性能がどの程度変化するか見積もることも可能となる。
【００８８】
また、各リソースにおける、データ転送状態が三角形や長方形の高さ、三角形の斜辺の傾きで表現されることから、全体動作のボトルネックを抽出する場合など、負荷状態が直感的に理解することが容易となる効果を有する。
【００８９】
【発明の効果】
以上説明したように、本発明によれば、多角形によってタスクの処理量および処理率を表すことにより、タスクの所要時間だけでなく、リソースの効率、仕事率などの能力、およびリソースの負荷を含むリソース状態を表示することができ、リソースの状態を把握しやすいという優れた効果を有するリソース管理装置、リソース管理方法およびリソース管理プログラムを提供することができるものである。
【００９０】
例えば、直角三角形によってタスクの処理量および処理率を表し、前記直角三角形の高さによって前記処理量を表し、前記直角三角形の底辺と斜辺のなす角によって前記処理率を表し、前記直角三角形の底辺によって処理時間を表し、さらに、前記直角三角形の底辺と垂直な辺と一辺が接し、この辺が前記直角三角形と同一の高さの四方形によって、前記リソース状態が保持されているのを表すことにより、タスクの所要時間だけでなく、リソースの効率、仕事率などの能力、およびリソースの負荷を含むリソース状態を表示することができるものである。
【図面の簡単な説明】
【図１】本発明の第１の実施形態に係るリソース管理装置を示すブロック図である。
【図２】本発明の第１の実施形態に係るリソース管理方法を示すフローチャートである。
【図３】本発明の第１の実施形態に係るリソース状態（リソースの処理）の表現方法を説明する図である。
【図４】本発明の第１の実施形態に係るリソース状態（リソースの処理）の表現方法を説明する図である。
【図５】本発明の第１の実施形態に係るリソース状態（リソース状態の保持動作）の表現方法を説明する図である。
【図６】本発明の第１の実施形態に係るリソース状態（リソースの処理と状態保持の連続動作）の表現方法を説明する図である。
【図７】本発明の第１の実施形態に係るリソース状態（タスク間の相関関係）の表現方法を説明する図である。
【図８】本発明の第２の実施形態に係るデジタルカメラにおけるリソース構成とデータの流れを示すブロック図である。
【図９】本発明の第２の実施形態に係るデジタルカメラの各リソースの処理状態の表現方法を説明する図である。
【図１０】本発明の第２の実施形態に係るデジタルカメラの各リソースの保持状態の表現方法を説明する図である。
【図１１】本発明の第２の実施形態に係るデジタルカメラの処理表現図である。
【符号の説明】
１１　直角三角形（タスク）
１２　横軸（時間軸）
１３　角度（処理率）
１４　底辺と垂直な辺の長さ（処理量）
１５　底辺の長さ（処理時間）
２１　多角形（タスク）
２２　横軸（時間軸）
２３ａ、２３ｂ、２３ｃ　角度（処理率）
２４　底辺と垂直な辺の長さ（処理量）
２５　底辺の長さ（処理時間）
３１　長方形（タスク）
３２　横軸（時間軸）
３４　一短辺の長さ（保持量）
３５　一長辺の長さ（保持時間）
４１　台形（タスク）
４２　横軸（時間軸）
４３　角度（処理率）
４４　高さ（処理量、保持量）
４５　直角三角形の底辺の長さ（処理時間）
４６　長方形の底辺の長さ（保持時間）
５１１、５１２、５１３　タスク
５１５　周期
５２１、５２２、５２３　タスク
５２５　周期
５３１、５３２、５３３　タスク
５３５　周期
５４　　横軸（時間軸）
６１１、６１２、６１３　タスク
６１５　周期
６２１、６２２、６２３　タスク
６２５　周期
７１１、７１２、７１３　タスク
７１５　周期
７２１、７２２、７２３　タスク
７２５　周期
１０１０　リソース状態情報入力部
１０２０　リソース状態表示部
１０３０　リソース状態情報処理部
１０４０　リソース状態情報記憶部
２００１　カメラ
２００２　ＣＣＤデータ領域
２００３　画素補間処理回路
２００４　画像データ領域
２００５　画像圧縮器
２００６　圧縮画像データ領域
２００７　記録メディア
２１００　入出力部
２２００　メモリ
２３００　画像処理部
【図１】
2004013677.tif 000003
【図２】
2004013677.tif 000004
【図３】
2004013677.tif 000005
【図４】
2004013677.tif 000006
【図５】
2004013677.tif 000007
【図６】
2004013677.tif 000008
【図７】
2004013677.tif 000009
【図８】
2004013677.tif 000010
【図９】
2004013677.tif 000011
【図１０】
2004013677.tif 000012
【図１１】
2004013677.tif 000013